(57)【要約】  【課題】  基準クロックに起因するクロックノイズを低減することが可能な撮像装置を提供する。  【解決手段】  ＣＣＤ５と、このＣＣＤ５を駆動するための基準クロックを発生するＴＧ９と、ＣＣＤ５から出力される信号をＩＳＯ感度の値が大きいときには大きい増幅率でまたＩＳＯ感度の値が小さいときには小さい増幅率で増幅率可変に増幅するＣＤＳ／ＡＧＣ回路６と、基準クロックの周波数を切り替える基準クロック切替回路１０と、ＩＳＯ感度の値が大きいときは小さいときに比べて基準クロックの周波数を下げるように基準クロック切替回路１０を制御するものであって、静止画撮影時に動画撮影時に比べて基準クロックの下限周波数を低く設定するように制御し、単写時に連写時に比べて基準クロックの下限周波数を低く設定するように制御するＣＰＵ２と、を備えた撮像装置。【選択図】図１
2006319465.tif 000002
【特許請求の範囲】
【請求項１】
撮像素子と、
上記撮像素子を駆動するための基準クロックを発生する撮像クロック発生手段と、
上記撮像素子から出力される信号を増幅率可変に増幅する増幅手段と、
上記基準クロックの周波数を切り替える基準クロック切替手段と、
上記増幅率が大きいときは、該増幅率が小さいときに比べて、上記基準クロックの周波数を下げるように上記基準クロック切替手段を制御する制御手段と、
を具備したことを特徴とする撮像装置。
【請求項２】
上記増幅手段は、ＩＳＯ感度の値が大きいときには大きい増幅率で、また、ＩＳＯ感度の値が小さいときには小さい増幅率で、上記撮像素子から出力される信号を増幅するものであることを特徴とする請求項１に記載の撮像装置。
【請求項３】
上記制御手段は、静止画撮影時に、動画撮影時に比べて、上記基準クロックの下限周波数を低く設定するように制御するものであることを特徴とする請求項２に記載の撮像装置。
【請求項４】
上記制御手段は、静止画撮影における単写時に、静止画撮影における連写時に比べて、上記基準クロックの下限周波数を低く設定するように制御するものであることを特徴とする請求項２に記載の撮像装置。
【発明の詳細な説明】
【技術分野】
【０００１】
本発明は、基準クロックにより駆動される撮像素子を備えた撮像装置に関する。
【背景技術】
【０００２】
銀塩フィルムは、例えば感光材料である銀塩粒子のサイズを変更する等により、異なる感度のフィルムが製造されている。従って、こうした銀塩フィルムを用いる銀塩カメラは、フィルム感度を設定することができるように構成されている。
【０００３】
近年、銀塩カメラを凌駕するマーケットシェアーを確保しつつあるデジタルカメラにおいても、銀塩カメラに準じたＩＳＯ感度の設定を行うことができるように構成されたものが少なくない。デジタルカメラは、銀塩カメラと異なり、ＣＣＤやＣＭＯＳ等の撮像素子が固定となっていて撮像素子自体の感度を変更することはできないために、撮像素子から出力される信号を増幅する際の増幅率を変更することにより、感度設定に対応するようになっている。
【０００４】
つまり、例えば高感度（ＩＳＯ感度の値が大きい）では、撮像素子から得られる少ない光量の画像を大きい増幅率で増幅することにより、画像を生成する処理を行っている。しかし、ＩＳＯ感度の値が大きいということは、露光量が小さく撮像素子から得られるシグナル（Ｓ）の信号が小さいことになるために、ＩＳＯ感度の値が大きい程、撮像素子の出力信号のＳ／Ｎの値が小さくなって画質が低下することになる。
【０００５】
一方で、デジタルカメラ等の撮像装置においては、撮像素子や、撮像素子から出力されるアナログ信号をデジタル信号に変換するためのＡ／Ｄ変換回路は、タイミングジェネレータ等から発生される基準クロックに応じて動作を行うようになっている。さらに、デジタル化された信号に対して、ホワイトバランス調整やガンマ補正などの信号処理を行うデジタル信号処理回路（ＤＳＰ）は、上記基準クロックとは別の、基本動作クロックにより動作するようになっている。ところで、近年の撮像素子は、高画素化が図られているために、上記基準クロックや基本動作クロックも、次第に高クロックとなってきている。
【０００６】
こうした、高クロックの信号は、撮像素子から読み出される画像信号に対して、いわゆるクロックノイズの影響を与える可能性があることが知られている。そして、一般に、クロックの周波数が高いほど、クロックノイズの影響が強くなり、画質をより低下させてしまう傾向にある。
【０００７】
そこで、こうしたクロックノイズを低減するようにした技術が、例えば、特開２００４−２６６４６７号公報に記載されている。該公報に記載の技術は、撮像素子からアナログ信号を読み出してＡ／Ｄ変換等の処理を行う間は、デジタル信号処理回路の基本動作クロックの周波数を下げることにより、デジタル側がアナログ側へ与えるクロックノイズを低減するようにしたものとなっている。さらに、該公報には、被写体の暗さに応じて基本動作クロックを変更したり（該公報の図９参照）、撮影モードに応じて基本動作クロックを変更したり（該公報の図１０参照）、ＩＳＯ感度に応じて基本動作クロックを変更したり（該公報の図１１参照）する技術が記載されている。
【特許文献１】特開２００４−２６６４６７号公報
【発明の開示】
【発明が解決しようとする課題】
【０００８】
しかしながら、上記特開２００４−２６６４６７号公報に記載されたものでは、撮像素子を読み出す際の基準クロック（アナログ側の撮像クロック）は変化しないために、該基準クロックに起因するノイズは低減されることはない。
【０００９】
本発明は上記事情に鑑みてなされたものであり、基準クロックに起因するクロックノイズを低減することが可能な撮像装置を提供することを目的としている。
【課題を解決するための手段】
【００１０】
上記の目的を達成するために、第１の発明による撮像装置は、撮像素子と、上記撮像素子を駆動するための基準クロックを発生する撮像クロック発生手段と、上記撮像素子から出力される信号を増幅率可変に増幅する増幅手段と、上記基準クロックの周波数を切り替える基準クロック切替手段と、上記増幅率が大きいときは該増幅率が小さいときに比べて上記基準クロックの周波数を下げるように上記基準クロック切替手段を制御する制御手段と、を具備したものである。
【００１１】
また、第２の発明による撮像装置は、上記第１の発明による撮像装置において、上記増幅手段が、ＩＳＯ感度の値が大きいときには大きい増幅率で、また、ＩＳＯ感度の値が小さいときには小さい増幅率で、上記撮像素子から出力される信号を増幅するものである。
【００１２】
さらに、第３の発明による撮像装置は、上記第２の発明による撮像装置において、上記制御手段が、静止画撮影時に、動画撮影時に比べて、上記基準クロックの下限周波数を低く設定するように制御するものである。
【００１３】
第４の発明による撮像装置は、上記第２の発明による撮像装置において、上記制御手段が、静止画撮影における単写時に、静止画撮影における連写時に比べて、上記基準クロックの下限周波数を低く設定するように制御するものである。
【発明の効果】
【００１４】
本発明の撮像装置によれば、基準クロックに起因するクロックノイズを低減することが可能となる。
【発明を実施するための最良の形態】
【００１５】
以下、図面を参照して本発明の実施の形態を説明する。
【００１６】
［実施形態１］
図１から図３は本発明の実施形態１を示したものであり、図１は撮像装置の構成を示すブロック図、図２はＩＳＯ感度に応じて基準クロックの周波数を設定する撮像装置の動作を示すフローチャート、図３はＩＳＯ感度と基準クロックの周波数との関係を示す図表である。
【００１７】
この撮像装置は、ＣＰＵ２と、撮像光学系３と、ローパスフィルタ４と、ＣＣＤ５と、ＣＤＳ／ＡＧＣ回路６と、Ａ／Ｄ変換回路７と、ＣＣＤドライバ８と、ＴＧ（タイミングジェネレータ）９と、基準クロック切替回路１０と、ＤＳＰ１１と、ＲＡＭ１２と、Ｄ／Ａ変換回路１３と、ＬＣＤ１４と、ＬＣＤドライバ１５と、圧縮／伸張回路１６と、記録媒体１７と、ＡＥ／ＡＦ回路１８と、操作スイッチ１９と、ＥＥＰＲＯＭ２０と、電源２１と、電圧判定回路２２と、ＲＯＭ２３と、を含んで構成されている。
【００１８】
ＣＰＵ２は、例えばマイクロプロセッサとして構成されていて、この撮像装置全体を制御するための制御手段である。
【００１９】
撮像光学系３は、光学的な被写体像をＣＣＤ５へ結像するためのものである。
【００２０】
ローパスフィルタ４は、撮像光学系３を通過してＣＣＤ５へ向かう光束から、不要な高周波成分を取り除くための光学フィルタである。
【００２１】
ＣＣＤ５は、ローパスフィルタ４を介して入射する被写体像を、電気的な信号に変換して出力する撮像素子であり、例えば高画素のＣＣＤ撮像素子を用いて構成された静止画撮影用のカラー撮像素子である。
【００２２】
ＣＤＳ／ＡＧＣ回路６は、ＣＣＤ５からの信号に、後述するようなノイズ除去やＩＳＯ感度に応じた増幅の処理などを行う信号処理手段であり、増幅手段となっている。
【００２３】
Ａ／Ｄ変換回路７は、このＣＤＳ／ＡＧＣ回路６から出力されるアナログの画像信号を、デジタルの画像信号に変換する信号処理手段である。
【００２４】
ＣＣＤドライバ８は、ＣＣＤ５を制御して駆動するための回路である。
【００２５】
ＴＧ９は、ＣＣＤドライバ８へタイミングを制御するための基準クロックを供給する撮像クロック発生手段である。
【００２６】
基準クロック切替回路１０は、ＣＰＵ２の制御に基づいて、ＴＧ９から出力される基準クロックの周波数を切り替えさせる基準クロック切替手段である。
【００２７】
ＤＳＰ１１は、Ａ／Ｄ変換回路７から出力される信号に対して、ＣＰＵ２の制御に基づき、所定のデジタル信号処理を行う信号処理手段である。
【００２８】
ＲＡＭ１２は、ＤＳＰ１１からの信号を一時的に記憶するためのフレームバッファ等として構成された記憶手段である。
【００２９】
Ｄ／Ａ変換回路１３は、このＲＡＭ１２に記憶されているデジタル信号を、アナログ信号へ変換するものである。
【００３０】
ＬＣＤ１４は、Ｄ／Ａ変換回路１３により変換されたアナログの画像信号に基づき、画像を表示する表示手段である。
【００３１】
ＬＣＤドライバ１５は、ＬＣＤ１４を制御して駆動し、表示を行わせる表示制御手段である。
【００３２】
圧縮／伸張回路１６は、画像を記録する際には、ＲＡＭ１２に記憶されているデジタル信号を圧縮する処理を行うものであり、一方、画像を再生する際には、記録媒体１７から読み出した圧縮されたデジタル信号を伸張する処理を行うものである。
【００３３】
記録媒体１７は、この圧縮／伸張回路１６により圧縮されたデジタル信号を記録するものであり、例えば、着脱式のカードメモリ等として構成されている。
【００３４】
ＡＥ／ＡＦ回路１８は、ＤＳＰ１１から出力されるデジタル画像信号に基づいて、露出制御（ＡＥ）用の演算と、オートフォーカス（ＡＦ）制御用の演算と、を行うものである。
【００３５】
操作スイッチ１９は、この撮像装置のモード切り換え（例えば、撮影モードの切り換え）や、ＩＳＯ感度の設定、撮影動作開始、電源のオン／オフなどの操作を行うためのものであり、複数のスイッチ類を含んで構成される入力手段である。なお、この撮像装置においては、例えば撮影モードとして、動画撮影モードと静止画撮影モードとが設定可能となっており、さらに、静止画撮影モードにおいては、１枚毎の撮影を行う単写と、複数枚の撮影を連続して行う連写と、を設定することができるようになっている。
【００３６】
ＥＥＰＲＯＭ２０は、不揮発性の記録媒体であって、この撮像装置において用いられる各種の補正データ、例えば、露出制御やオートフォーカス処理等に必要な各種補正データが、この撮像装置の製造時に記録されたものである。このＥＥＰＲＯＭ２０には、さらに、ＩＳＯ感度および撮影モードに応じた基準クロック（ＴＧ９から出力される基準クロック）が記録されている。このとき、このＥＥＰＲＯＭ２０に記録される基準クロックは、後述するように、静止画撮影モードの単写における基準クロックの下限値と、静止画撮影モードの連写における基準クロックの下限値と、動画撮影モードにおける基準クロックの下限値と、を含んでいる。
【００３７】
電源２１は、この撮像装置の各回路へ電力を供給するためのものであり、例えば二次電池を含んで構成されている。
【００３８】
電圧判定回路２２は、この電源２１の電圧を判定する電源電圧判定手段である。
【００３９】
ＲＯＭ２３は、この撮像装置の動作を制御するためのプログラムであるファームウエアが記録された不揮発性の記録媒体である。
【００４０】
次に、このような撮像装置の動作はほぼ次のようになっている。
【００４１】
まず、操作スイッチ１９の操作により、静止画撮影モードが設定され、かつ単写が選択されているときの動作について説明する。
【００４２】
上記撮像光学系３を通過した光束は、ローパスフィルタ４を介して、ＣＣＤ５の撮像面に結像される。
【００４３】
そして、ＴＧ９から供給されるクロックにより、ＣＣＤドライバ８がＣＣＤ５を駆動して、ＣＣＤ５による光電変換が行われる。こうしてＣＣＤ５から、アナログの画像信号が出力される。
【００４４】
この画像信号は、ＣＤＳ／ＡＧＣ回路６に入力され、該ＣＤＳ／ＡＧＣ回路６内のＣＤＳ回路部により公知の相関二重サンプリングなどが行われてリセットノイズが除去されるとともに、該ＣＤＳ／ＡＧＣ回路６内のＡＧＣ回路部によりＩＳＯ感度に応じた所定の信号レベルへの増幅が行われて出力される。すなわち、ＣＤＳ／ＡＧＣ回路６のＡＧＣ回路部は、ＩＳＯ感度の値が大きいときには大きい増幅率で、また、ＩＳＯ感度の値が小さいときには小さい増幅率で、ＣＣＤ５から出力される信号を増幅するようになっている。
【００４５】
このＣＤＳ／ＡＧＣ回路６からのアナログの画像信号は、続くＡ／Ｄ変換回路７によって、デジタルの画像信号（画像データ）に変換される。
【００４６】
これらＣＤＳ／ＡＧＣ回路６、上記Ａ／Ｄ変換回路７へは、ＴＧ９により生成された基準クロックが、上述したＣＣＤドライバ８とともに入力されるようになっている。
【００４７】
このとき、このＴＧ９から出力される基準クロックは、後述するように、基準クロック切替回路１０により周波数を切り替えられるようになっている。そして、この基準クロック切替回路１０による基準クロックの周波数の切り替えは、設定されているＩＳＯ感度に基づいて、ＣＰＵ２により制御されるようになっている。
【００４８】
ＤＳＰ１１は、Ａ／Ｄ変換回路７からの画像データに対して、所定の画像処理演算を行うとともに、得られた演算結果に基づいて該画像データにオートホワイトバランス処理も行う。
【００４９】
このＤＳＰ１１により処理された画像データは、ＡＥ／ＡＦ回路１８の処理に用いられる。すなわち、ＡＥ／ＡＦ回路１８は、１フレーム（１画面）分の画像データの輝度値を算出して重み付け加算する等の処理を行うことにより、被写体の明るさに対応したＡＥ評価値を算出し、算出結果をＣＰＵ２へ出力するとともに、１フレーム（１画面）分の画像データの輝度成分にハイパスフィルタなどを用いて高周波成分を抽出し、抽出した高周波成分の累積加算値を算出する等により高周波域側の輪郭成分等に対応したＡＦ評価値を算出し、算出結果をＣＰＵ２へ出力する。なお、この実施形態においては、ＡＥ／ＡＦ回路１８により算出された上記ＡＥ評価値およびＡＦ評価値に基づいて、ＣＰＵ２が上記ＥＥＰＲＯＭ２０から補正データを読み出して、露出演算および焦点検出演算を行うようになっている。
【００５０】
また、上記ＤＳＰ１１により処理された画像データは、ＲＡＭ１２に一時的に記憶される。
【００５１】
操作スイッチ１９によりスルー画の表示が選択されている場合には、このＲＡＭ１２内の画像データは、Ｄ／Ａ変換回路１３によりアナログの画像信号に変換された後に、ＬＣＤドライバ１５に駆動されたＬＣＤ１４により表示される。
【００５２】
ここで、操作スイッチ１９のレリーズスイッチ等により、静止画の撮影指示が入力されたものとする。
【００５３】
すると、上述と同様にＲＡＭ１２に記憶された画像データは、圧縮／伸張回路１６内の圧縮回路部で圧縮された後に、記録媒体１７に記録される。また、撮影後の画像を表示する選択が操作スイッチ１９によりなされている場合には、ＲＡＭ１２内の画像データが、上述と同様にして、ＬＣＤ１４に表示される。
【００５４】
次に、操作スイッチ１９の操作により、静止画撮影モードが設定され、かつ連写が選択されているときの動作は、操作スイッチ１９のレリーズスイッチ等がオンされ続けている間は、静止画の撮像を連続的に繰り返して行う点を除いて、上述した単写の場合とほぼ同様である。
【００５５】
さらに、操作スイッチ１９の操作により、動画撮影モードが設定されているときには、ＣＣＤ５から画像が所定レートのフレーム単位で連続的に出力されるようになっている。このとき、ＣＣＤ５から出力される画像は、動画用に例えば間引き読み出しされた画像であり、また、圧縮／伸張回路１６は静止画の場合と異なり動画に対応したフレーム間圧縮などの処理も行う。その他、動画と静止画との一般的な相違点を除いて、動作の概要は上述とほぼ同様である。
【００５６】
次に、図２を参照して、設定されたＩＳＯ感度に応じて撮像クロックを設定するときの動作について説明する。
【００５７】
操作スイッチ１９の電源スイッチ等がオンされると、この動作が開始される。動作が開始されると、まず、撮影モードの設定を行う（ステップＳ１）。ここに、設定される撮影モードは、上述したように、静止画撮影モードの単写、静止画撮影モードの連写、動画撮影モードなどである。そして、ユーザによる設定入力が行われたときはそのモードが設定され、ユーザによる設定入力が行われないときには、予め定められた所定の撮影モード、例えば静止画撮影モードの単写が自動的に設定される。
【００５８】
次に、ＩＳＯ感度の設定を行う（ステップＳ２）。なお、ここでは、設定可能なＩＳＯ感度は、ＩＳＯ１００，ＩＳＯ２００，ＩＳＯ４００，ＩＳＯ８００，ＩＳＯ１６００，ＩＳＯ３２００であるものとする。そして、ＩＳＯ感度の設定も、自動、または手動により行われる。
【００５９】
続いて、設定されたＩＳＯ感度が「１００」であるか否かを判定する（ステップＳ３）。ここでＩＳＯ１００が設定されているときには、ＣＰＵ２の制御に基づいて、基準クロック切替回路１０が、ＴＧ９の基準クロック（撮像クロック）の周波数を、次のように設定する。まず、撮影モードが静止画（スチル）の単写であるときは、基準クロックを３６ＭＨｚに設定する。同様に、撮影モードが静止画（スチル）の連写であるときも、基準クロックを３６ＭＨｚに設定する。そして、撮影モードが動画であるときは、基準クロックを７２ＭＨｚに設定する（ステップＳ４）。
【００６０】
また、ステップＳ３において、ＩＳＯ感度が「１００」でないと判定された場合には、次に、ＩＳＯ感度が４００以下であるか否かを判定する（ステップＳ５）。ここで、ＩＳＯ感度が４００以下、つまり、ＩＳＯ２００またはＩＳＯ４００が設定されているときには、静止画（スチル）の単写である場合に基準クロックを２８ＭＨｚに設定し、静止画（スチル）の連写である場合に基準クロックを３６ＭＨｚに設定し、動画である場合に基準クロックを３６ＭＨｚに設定する（ステップＳ６）。
【００６１】
さらに、ステップＳ５において、ＩＳＯ感度が４００以下でないと判定された場合には、ＩＳＯ感度が１６００以下であるか否かを判定する（ステップＳ７）。ここで、ＩＳＯ感度が１６００以下、つまり、ＩＳＯ８００またはＩＳＯ１６００が設定されているときには、静止画（スチル）の単写である場合に基準クロックを１８ＭＨｚに設定し、静止画（スチル）の連写である場合に基準クロックを２８ＭＨｚに設定し、動画である場合に基準クロックを３６ＭＨｚに設定する（ステップＳ８）。
【００６２】
そして、ステップＳ７において、ＩＳＯ感度が１６００以下でないと判定された場合、つまり、ＩＳＯ感度が３２００に設定されている場合には、静止画（スチル）の単写であるときに基準クロックを１４ＭＨｚに設定し、静止画（スチル）の連写であるときに基準クロックを１８ＭＨｚに設定し、動画であるときに基準クロックを２８ＭＨｚに設定する（ステップＳ９）。
【００６３】
ステップＳ４，Ｓ６，Ｓ８，Ｓ９の何れかの処理により基準クロックの周波数が設定されたら、ＴＧ９から設定された周波数の基準クロックの信号をＣＣＤドライバ８、ＣＤＳ／ＡＧＣ回路６、Ａ／Ｄ変換回路７へ供給し、ＣＣＤ５により撮像を行い（ステップＳ１０）、この処理を終了する。
【００６４】
図３は、上述したような処理に用いるためにＥＥＰＲＯＭ２０に記憶されたデータの例を示している。
【００６５】
すなわち、ＩＳＯ感度が「１００」の欄にはステップＳ４で用いられるデータが、ＩＳＯ感度が「２００」および「４００」の欄にはステップＳ６で用いられるデータが、ＩＳＯ感度が「８００」および「１６００」の欄にはステップＳ８で用いられるデータが、ＩＳＯ感度が「３２００」の欄にはステップＳ９で用いられるデータが、撮影モードに応じてそれぞれ記録されている。
【００６６】
これらの内で、ＩＳＯ３２００における、「１４ＭＨｚ」は静止画撮影モードの単写における下限の基準クロック数を示し、「１８ＭＨｚ」は静止画撮影モードの連写における下限の基準クロック数を示し、「２８ＭＨｚ」は動画撮影モードにおける下限の基準クロック数を示している。
【００６７】
こうして、ＣＰＵ２は、静止画撮影時の下限の基準クロックを、動画撮影時の下限の基準クロックに比べて、周波数が低くなるように設定するとともに、静止画撮影時においては、単写の下限の基準クロックを、連写の下限の基準クロックに比べて、周波数が低くなるように設定している。
【００６８】
なお、上述ではＩＳＯ感度の設定に応じて基準クロックを変更するようにしているが、これに代えて、あるいはこれに加えて、露出補正値に応じて基準クロックを変更するようにしても構わない。すなわち、ＣＤＳ／ＡＧＣ回路６が、露出補正値に応じて増幅率を変更するように構成されている場合には、上述したような技術を同様に適用することが可能である。
【００６９】
また、上述では、アナログ信号側に増幅手段たるＣＤＳ／ＡＧＣ回路６が設けられているが、これに代えて、あるいはこれに加えて、デジタル信号側に増幅手段が設けられていても構わない。このような構成においても、本発明を適用することが可能である。
【００７０】
さらに、撮像装置としては、デジタルカメラに限るものではなく、デジタルビデオカメラ、アナログスチルカメラ、アナログビデオカメラ、カメラ付き携帯電話等の、撮像機能を持った各種の機器であっても構わない。
【００７１】
そして、上述では、アナログ信号側の基準クロックを、増幅率に応じて（例えば、ＩＳＯ感度に応じて）適応的に変更する例を説明したが、これとともに、ＤＳＰ１１などのデジタル信号側に加える基本動作クロックを適応的に変更するようにしても構わない。
【００７２】
このような実施形態１によれば、増幅手段の増幅率が大きいときは、該増幅率が小さいときに比べて、基準クロックの周波数を下げるようにしているために、増幅した信号に含まれる該基準クロックによるクロックノイズを、増幅率に応じて低減することが可能となる。こうして、Ｓ／Ｎを有効に高くして、画像の高画質化を図ることが可能となる。
【００７３】
そして、ＩＳＯ感度に応じて増幅率を切り替える場合には、ＩＳＯ感度に応じたクロックノイズの低減が可能となる。
【００７４】
また、静止画撮影時には、動画撮影時に比べて、基準クロックの下限周波数を低く設定するようにしたために、所定のフレームレートが必要な動画撮影に対応して滑らかに動く動画を得ることができるとともに、撮影される静止画のより一層の高画質化を図ることが可能となる。
【００７５】
さらに、静止画撮影における単写時には、静止画撮影における連写時に比べて、基準クロックの下限周波数を低く設定するようにしたために、所定の撮影時間間隔が必要な連写に対応することができるとともに、単写時に撮影される静止画のより一層の高画質化を図ることが可能となる。
【００７６】
こうして、撮影モードに対応した画像の高画質化を図ることができる。
【００７７】
なお、本発明は上述した実施形態に限定されるものではなく、発明の主旨を逸脱しない範囲内において種々の変形や応用が可能であることは勿論である。
【産業上の利用可能性】
【００７８】
本発明は、基準クロックにより駆動される撮像素子を備えた撮像装置に好適に利用することができる。
【図面の簡単な説明】
【００７９】
【図１】本発明の実施形態１における撮像装置の構成を示すブロック図。
【図２】上記実施形態１において、ＩＳＯ感度に応じて基準クロックの周波数を設定する撮像装置の動作を示すフローチャート。
【図３】上記実施形態１におけるＩＳＯ感度と基準クロックの周波数との関係を示す図表。
【符号の説明】
【００８０】
２…ＣＰＵ（制御手段）
３…撮像光学系
４…ローパスフィルタ
５…ＣＣＤ（撮像素子）
６…ＣＤＳ／ＡＧＣ回路（増幅手段）
７…Ａ／Ｄ変換回路
８…ＣＣＤドライバ
９…タイミングジェネレータ（ＴＧ）（撮像クロック発生手段）
１０…基準クロック切替回路（基準クロック切替手段）
１１…ＤＳＰ
１２…ＲＡＭ
１３…Ｄ／Ａ変換回路
１４…ＬＣＤ
１５…ＬＣＤドライバ
１６…圧縮／伸張回路
１７…記録媒体
１８…ＡＥ／ＡＦ回路
１９…操作スイッチ
２０…ＥＥＰＲＯＭ
２１…電源
２２…電圧判定回路
２３…ＲＯＭ
【図１】
2006319465.tif 000003
【図２】
2006319465.tif 000004
【図３】
2006319465.tif 000005